(57)【要約】      （修正有）【課題】支承高が低く全体形状がコンパクトであり、しかも支承に要求される回転性等も十分に得ることができ、メンテナンスも簡単な交換用に適した固定支承を提供する。【解決手段】上部構造５０と下部構造５１との間に設置され、上部構造の荷重を下部構造に伝達するための固定支承であって、上部構造５０に固定され、下面に凹部４を有する上沓１と、下部構造５１に固定され、上部に凹部４に嵌合される凸部７を有する下沓２と、凹部４の底面と凸部７の上面との間に配置され、凹部４の内周との間に環状空隙１５を形成する耐高荷重性のゴム沓８とを備える。【選択図】図１
2012012765.tif 000002
【特許請求の範囲】
【請求項１】
上部構造と下部構造との間に設置され、前記上部構造の荷重を下部構造に伝達するための固定支承であって、
前記上部構造に固定され、下面に凹部を有する上沓と、
前記下部構造に固定され、上部に前記凹部に嵌合される凸部を有する下沓と、
前記凹部の底面と前記凸部の上面との間に配置され、凹部の内周との間に環状空隙を形成する耐高荷重性のゴム沓と
を備えたことを特徴とする固定支承。
【請求項２】
前記ゴム沓は、天然ゴム又はウレタンゴム製のものであることを特徴とする請求項１記載の固定支承。
【請求項３】
前記ゴム沓は中心孔を有し、また前記上沓は前記凹部の底面側から順に設けられた小径孔とこれに連なる大径孔とを有し、
前記ゴム沓の中心孔及び前記上沓の小径孔に、前記中心孔よりも小径の上揚力止め部材が挿入され、この上揚力止め部材は下端部が前記下沓に固定されるとともに、上端部に形成された大径部が前記上沓の大径孔に収容されて、その下面に係合可能となっていることを特徴とする請求項１又は２記載の固定支承。
【発明の詳細な説明】
【技術分野】
【０００１】
この発明は、固定支承に関し、より詳細には橋梁の上下部構造間に既設されている支承の交換用として好適な固定支承に関する。
【背景技術】
【０００２】
近年、例えば昭和３０年代に設置された既設の橋梁用支承が耐用年数に達し、その取り替え工事が増えつつある。取り替え工事にあたり、仮に新設支承の支承高が既設支承のそれよりも高いと、下部構造のコンクリートの斫り等を伴うので工事が面倒である。したがって、取り替え用の新設支承は既設の支承高空間に容易に置き換えることができるように、支承高が低く、全体構造もコンパクトなものであることが望まれる。
【０００３】
このような条件を満たすものとして、例えば特許文献１に記載の固定支承を挙げることができる。この固定支承は密閉支承板支承に類するもので、下沓に形成したポット部にゴム板を収容し、上沓に形成した円柱部によりゴム板がポット部内で密封されるようにしたものである。
【０００４】
しかしながら、上記従来のものは、水平力をせん断キーで取る構造である。大きな水平力をこのせん断キーで取るためには、下沓へのねじ込み部のねじ長さを長くし、ねじ径も大きくしなければならない。このため、下沓の板厚が厚くなり、コスト高となる。また、密閉支承板支承に類する構造であることから、ポット部にその上部から水や塵芥等が侵入するのを防止するためにシールを設けなくてはならない。このため、メンテナンス性も良いとは言えない。
【先行技術文献】
【特許文献】
【０００５】
【特許文献１】特開２００７−２９１６７６
【発明の概要】
【発明が解決しようとする課題】
【０００６】
この発明は上記のような技術的背景に基づいてなされたものであって、次の目的を達成するものである。
この発明の目的は、支承高が低く全体形状がコンパクトであり、しかも支承に要求される回転性等も十分に得ることができ、メンテナンスも簡単な交換用に適した固定支承を提供することにある。
【課題を解決するための手段】
【０００７】
この発明は上記課題を達成するために、次のような手段を採用している。
すなわち、この発明は、上部構造と下部構造との間に設置され、前記上部構造の荷重を下部構造に伝達するための固定支承であって、
前記上部構造に固定され、下面に凹部を有する上沓と、
前記下部構造に固定され、上部に前記凹部に嵌合される凸部を有する下沓と、
前記凹部の底面と前記凸部の上面との間に配置され、凹部の内周との間に環状空隙を形成する耐高荷重性のゴム沓と
を備えたことを特徴とする固定支承にある。
【０００８】
上記固定支承において、前記耐高荷重性のゴム沓として、天然ゴム又はウレタンゴム製のものを使用することができる。
【０００９】
前記ゴム沓は中心孔を有し、また前記上沓は前記凹部の底面側から順に設けられた小径孔とこれに連なる大径孔とを有し、
前記ゴム沓の中心孔及び前記上沓の小径孔に、前記中心孔よりも小径の上揚力止め部材が挿入され、この上揚力止め部材は下端部が前記下沓に固定されるとともに、上端部に形成された大径部が前記上沓の大径孔に収容されて、その下面に係合可能となっている構成を採用することもできる。
【発明の効果】
【００１０】
この発明によれば、ゴム沓が耐高荷重性のものであり、回転が取れる構造であることから、高さを低くすることができ、したがって支承高を低くすることができる。また、上部構造に作用する水平荷重は上沓の凹部周壁から下沓の凸部に伝達されたうえ、下部構造に伝達される。すなわち、凹部と凸部との嵌合というコンパクトな構造によって、水平方向全方向への上部構造の移動制限を達成することができる。また、凹部と凸部との嵌合による水平荷重伝達であるので、接触部の径が大きくなって接触面積が増大し、その結果支圧応力が小さくなるので、耐摩耗性が向上する。
【００１１】
また、ゴム沓の外周には隙間が形成されていることから、上沓の鉛直方向回転が阻害されることなく十分な回転機能を発揮する。さらに、凹部は上沓に設けられて下向きとなるので、支承部（ゴム沓）には水や塵芥等が侵入することがなく、したがって、シール等が不要であり、メンテナンスも簡単なものとなる。
【図面の簡単な説明】
【００１２】
【図１】この発明による固定支承の実施形態を示す正面図である。
【図２】図１のＡ−Ａ線矢視断面図である。
【発明を実施するための形態】
【００１３】
この発明の実施形態を図面を参照しながら以下に説明する。図１，図２に示すように、この発明による固定支承は、コンクリート製あるいは鋼製の橋桁である上部構造５０に固定される上沓１と、橋脚や橋台である下部構造５１に固定される下沓２とを備えている。
【００１４】
上沓１は鋼製のもので、この実施形態では円形に作られているが矩形であってもよい。上沓１の上面中央には上部構造５０に嵌入されてせん断力を伝達するための突起（キー）３が設けられている。また上沓１の下面には凹部４が設けられている。この凹部４の周壁５は上沓１の外周に設けられ、したがって上沓１は全体として上端が閉鎖された円筒形をなしている。
【００１５】
下沓２も鋼製のもので、この実施形態では矩形に作られている。下沓２には外周部に複数のアンカーボルトの挿入孔６が設けられている。下沓２は、この挿入孔６に挿入されるアンカーボルト２２及びこれに螺着されるナット２３により、下部構造５１に固定される。
【００１６】
下沓２の上面中央には円柱状の凸部７が設けられている。凸部７は、その上部が凹部４に嵌合し、凸部７の外周と凹部４の内周との間には上沓１の鉛直方向回転を阻害しないように僅かな隙間が設けられている。
【００１７】
凸部７の上面と凹部４の底面（内部上面）との間にはゴム沓８が設けられている。ゴム沓８は中央に孔９を有する環状のものであり、上鋼板１０と下鋼板１１との間にゴム体１２を挟み込み加硫接着によって、あるいは接着剤を用いて接着することによって形成される。ゴム体１２は耐高荷重性のものであり、天然ゴム又はウレタンゴムで作られている。
【００１８】
凸部７の上面には環状凹部１３が、また凹部４の底面には凹部１４が形成されている。そして、ゴム沓８の下鋼板１１が環状凹部１３に、上鋼板１０が凹部１４に嵌め込まれている。ゴム沓８の外径は凹部４の内径よりも小さく、したがって、ゴム沓８の外周と凹部４の内周との間には環状の空隙１５が形成されている。
【００１９】
下沓２の凸部７の中央にはねじ孔１６が設けられ、また上沓１にはねじ孔１６と軸心が一致する小径孔１７と大径孔１８とが、凹部４の底面側から順に設けられている。大径孔１８は突起３の上面に開口している。小径孔１７及びゴム沓８の中心孔９には上揚力止め部材を構成する上揚力止めボルト１９が挿入され、その下端部はねじ孔１６に螺着・固定されている。
【００２０】
また、上揚力止めボルト１９の大径部であるボルト頭部２０は、大径孔１８に収容され、その下面に係合可能である。ボルト頭部２０は、上沓１の鉛直方向回転を阻害しないように、大径孔１８の内周面及び下面との間に隙間がそれぞれ設けられている。上揚力止めボルト１９の径はゴム沓８の内径（中心孔９の径）よりも小さく、したがって、上揚力止めボルト１９と中心孔９の内周との間には環状の空隙２１が形成されている。
【００２１】
上記固定支承において、上部構造５０に作用する鉛直荷重はゴム沓８を介して下部構造５１に伝達される。ゴム沓８は、そのゴム体１２がウレタンゴムによって作られた耐高荷重性のものであることから、高さを低くすることができ、したがって支承高を低くすることができる。上部構造に作用する水平荷重は、上沓１の凹部４に下沓２の凸部７が嵌合していることから、凹部４の周壁５から凸部７に伝達されたうえ、下部構造５１に伝達される。すなわち、凹部４と凸部７との嵌合というコンパクトな構造で水平方向全方向に上部構造５０の移動が制限される。
【００２２】
また、上部構造５０の鉛直方向回転はゴム沓８の変形によって吸収されるが、ゴム沓８の内外周には隙間１５，２１が形成されていることから、上沓１の回転が阻害されることなく十分な回転機能を発揮する。さらに、上部構造に作用する上揚力は、上揚力止めボルト１９の頭部２０が大径孔１８の下面に係合し、これを受け止めることができる。
【００２３】
上記固定支承は、メンテナンスに関しても極めて有利な構造である。すなわち、凹部４及びこれに嵌合する凸部７は、それぞれ上沓１及び下沓２に設けられ、凹部４は下向きとなるので、支承部（ゴム沓８）には水や塵芥等が侵入することがない。したがって、シール等が不要であり、メンテナンスも簡単なものとなる。
【符号の説明】
【００２４】
１      上沓
２      下沓
４      凹部
７      凸部
８      ゴム沓
９      中心孔
１５      空隙
１７      小径孔
１８      大径孔
１９      上揚力止めボルト
２０      ボルト頭部
５０      上部構造
５１      下部構造
【図１】
2012012765.tif 000003
【図２】
2012012765.tif 000004